(57)【要約】【課題】本考案は、維持管理費が安く、植物・種苗の育成むらの無い効率の良い簡略な植物・種苗育成用暖房システムを提供するものである。【解決手段】本考案の植物・種苗育成用暖房システムは、植物・種苗育成用ハウス１内に配置するテーブル本体１１と、このテーブル本体１１上に全面にわたって配置した保温ブロック３０、熱伝導板２、循環パイプ２４を用いた温水循環手段と、温水循環手段上に積層配置する麦飯石２５とを有する任意数の植物・種苗育成用テーブル２と、前記温水循環手段に温水を供給するボイラ３と、前記植物・種苗育成用テーブルフの上面近傍の温度を検出する温度センサ４と、温度センサ４による検出温度に基づき前記ボイラ３から温水循環手段に供給する温水の温度を制御する温度調整パネル５とを有するものである。【選択図】図３
0003102976.tif 000002
【実用新案登録請求の範囲】
【請求項１】
植物・種苗育成用ハウスと、
植物・種苗育成用ハウス内に配置するテーブル本体と、このテーブル本体上に全面にわたって配置した温水循環手段と、温水循環手段上に積層配置する遠赤外線放射手段とを有する任意数の植物・種苗育成用テーブルと、
前記温水循環手段に温水を供給する温水供給手段と、
前記植物・種苗育成用テーブルの上面近傍の温度を検出する温度検出手段と、
温度検出手段による検出温度に基づき前記温水供給手段から温水循環手段に供給する温水の温度を制御する温度調整手段と、
を有し、
前記植物・種苗育成用テーブル上に配置する植物や種苗に対して、前記温度調整手段による制御下で温水が供給される温水供給手段からの温熱及び前記遠赤外線放射手段が放射する遠赤外線を作用させて前記植物や種苗の発芽、育成を行うようにしたことを特徴とする植物・種苗育成用暖房システム。
【請求項２】
テーブル本体と、
このテーブル本体上に全面にわたって配置した温水循環手段と、温水循環手段上に積層配置する遠赤外線放射手段とを有する任意数の植物・種苗育成用テーブルと、
前記温水循環手段に温水を供給する温水供給手段と、
前記植物・種苗育成用テーブルの上面近傍の温度を検出する温度検出手段と、
温度検出手段による検出温度に基づき前記温水供給手段から温水循環手段に供給する温水の温度を制御する温度調整手段と、
を有し、
前記植物・種苗育成用テーブル上に配置する植物や種苗に対して、前記温度調整手段による制御下で温水が供給される温水供給手段からの温熱及び前記遠赤外線放射手段が放射する遠赤外線を作用させて前記植物や種苗の発芽、育成を行うようにしたことを特徴とする植物・種苗育成用暖房システム。
【請求項３】
前記植物・種苗育成用テーブルの温水循環手段は、テーブル本体上に全面にわたって敷設される断熱シート上に分割構成で設置された空気層を形成する所要数の保温ブロックに設けた溝に熱伝導板を介して循環パイプを敷設することにより構成され、前記遠赤外線放射手段は温水循環手段上に敷設した分割構成の所要数の麦飯石により構成されることを特徴とする請求項１又は２記載の植物・種苗育成用暖房システム。
【請求項４】
テーブル本体と、
このテーブル本体上に全面にわたって配置した温水供給手段に連結可能な温水循環手段と、
前記温水循環手段上に積層配置する遠赤外線放射手段と、
を有することを特徴とする植物・種苗育成用テーブル。
【請求項５】
平坦な上面を有するテーブル本体と、
このテーブル本体上に全面にわたって敷設する断熱シートと、断熱シート上に分割構成で連結設置する空気層を形成する所要数の保温ブロックと、保温ブロックに設けた溝上に敷設する循環パイプ設置用の凹部を有する熱伝導板と、熱伝導板の凹部に配置した温水供給手段に連結可能な循環パイプとを有する温水循環手段と、
前記温水循環手段上に配置する分割構成の所要数の麦飯石からなる遠赤外線放射手段と、
を有することを特徴とする植物・種苗育成用テーブル。
【考案の詳細な説明】
【技術分野】
【０００１】
本考案は、各種の植物・種苗、例えば特に各種の種、苗の発芽、育苗に好適な植物・種苗育成用暖房システム、植物・種苗育成用テーブルに関するものである。
【背景技術】
【０００２】
各種の植物をはじめとして、各種花等の種の発芽、鑑賞用・園芸用野菜の苗等の育苗を促進する種苗育成用暖房システムとして従来種々のものが提案されている。
【０００３】
例えば、電気ヒータを用いた種苗育成用暖房システム、大容量ボイラを用いた温風暖房システム等である。
しかし、電気ヒータを用いた種苗育成用暖房システムや大容量ボイラを用いた温風暖房システムの場合、各種の植物をはじめとして、各種の種、苗の発芽、育苗を大規模に行う際に、育苗床上の種や苗等に対して均一に暖房を行うことが難しく育成むらが生じ易いという問題がある。また、これらの種苗育成用暖房システムの場合、電気代、燃料代が大きく月々の維持費が高騰して生産コストを圧迫するという問題もある。
【０００４】
特許文献１には、温室内において、種苗用の栽培ベッドの下部に散水用の配管を設け、送風機により送風する風と前記配管からの散水とを熱交換して温風を温室内で循環させ、栽培ベッド上の種苗の発芽、育苗を行うように構成した送風散水式暖房装置が提案されている。
【０００５】
しかし、この特許文献１の送風散水式暖房装置の場合、配管からの散水を利用するものであるため、必然的に排水設備が必要になり、全体構成が複雑化するという問題を包含している。
【特許文献１】特開２００２−３３０６４０号公報
【考案の開示】
【考案が解決しようとする課題】
【０００６】
解決しようとする問題点は、維持管理費が安く、各種の植物の育成をはじめとして、特に種苗の育成むらの無い効率の良い簡略な種苗育成用暖房システムが存在しない点である。
【課題を解決するための手段】
【０００７】
本考案の植物・種苗育成用暖房システムは、植物・種苗育成用ハウス内に配置するテーブル本体と、このテーブル本体上に全面にわたって配置した温水循環手段と、温水循環手段上に積層配置する遠赤外線放射手段とを有する任意数の植物・種苗育成用テーブルと、前記温水循環手段に温水を供給する温水供給手段と、前記植物・種苗育成用テーブルの上面近傍の温度を検出する温度検出手段と、温度検出手段による検出温度に基づき前記温水供給手段から温水循環手段に供給する温水の温度を制御する温度調整手段とを有し、前記植物・種苗育成用テーブル上に配置する種苗に対して、前記温度調整手段による制御下で温水が供給される温水供給手段からの温熱及び前記遠赤外線放射手段が放射する遠赤外線を作用させて前記種苗の発芽、育成を行うようにしたことを最も主要な特徴とする。
【考案の効果】
【０００８】
本考案によれば、以下の効果を奏する。
すなわち、本考案の植物・種苗育成用暖房システムによれば、植物・種苗育成のための適切で保温性に優れた温度管理を行いつつ均一な温熱と、遠赤外線を植物・種苗に作用させることができ、遠赤外線による細胞の活発化、新陳代謝の促進を行って、効率よく発芽むら、育苗むらのない植物や種苗の発芽、育成を行うことが可能となり、更に燃費等の維持費を低減することができる。
【０００９】
この場合、植物・種苗育成用ハウスの内外を問わず、各種植物や各種種苗の発芽、育成を行うことが可能となる。
【００１０】
更に、本考案の植物・種苗育成用テーブルによれば、上述した植物・種苗育成用暖房システムを実現するための主要な要素として活用でき、育成規模の大小にも容易に対応できる。
【考案を実施するための最良の形態】
【００１１】
維持管理費が安く、植物・種苗の育成むらの無い効率の良い簡略な植物・種苗育成用暖房システムを提供するという目的を、植物・種苗育成用ハウス内に配置するテーブル本体と、このテーブル本体上に全面にわたって配置した温水循環手段と、温水循環手段上に積層配置する麦飯石からなる遠赤外線放射手段とを有する任意数の植物・種苗育成用テーブルと、前記温水循環手段に温水を供給する温水供給手段と、前記植物・種苗育成用テーブルの上面近傍の温度を検出する温度検出手段と、温度検出手段による検出温度に基づき前記温水供給手段から保温ブロック、熱伝導板、循環パイプを用いた温水循環手段に供給する温水の温度を制御する温度調整手段とを有する構成とし、前記植物・種苗育成用テーブル上に配置する植物・種苗に対して、前記温度調整手段による制御下で温水が供給される温水供給手段からの温熱及び前記麦飯石が放射する遠赤外線を作用させて前記植物や種苗の発芽、育成を行うことで達成した。
【実施例】
【００１２】
以下に、本考案の実施例を詳細に説明する。
まず、図１乃至図３を参照して本実施例の植物・種苗育成用暖房システムの全体構成について概説する。
【００１３】
本実施例の植物・種苗育成用暖房システムは、植物・種苗育成用ハウス（温室）１と、この植物・種苗育成用ハウス１内に配置する任意台数の植物・種苗育成用テーブル２と、温水供給を行う温水供給手段を構成する例えばＡＣ１００Ｖで動作するボイラ３と、前記植物・種苗育成用テーブル２の上面近傍の温度を検出する温度検出手段である温度センサ４と、温度センサ４による検出温度に基づき前記ボイラ３から植物・種苗育成用テーブル２に向けて供給する温水の温度を制御する温度調整手段である温度調整パネル５とを有している。
温度センサ４は、信号ケーブル６を用いて温度調整パネル５に接続され、温度調整パネル５はケーブル７を介して前記ボイラ３の駆動制御を行うようになっている。
また、前記ボイラ３に対しては給水管８、圧力調整タンク９を介して必要な給水が行われるようになっている。
なお、ボイラ３の給油系については詳細説明は省略するが、自動給油式又は手動給油式のいずれでも採用することが可能である。図３中の符号１０はＡＣ１００Ｖ電源に接続するためのＡＣプラグである。
【００１４】
前記植物・種苗育成用ハウス１は、公知の例えば鉄骨構造からなり、壁、屋根に合成樹脂等の透明材又は半透明材を張り巡らして、太陽熱を効率よく内部に導くように構成している。また、植物・種苗育成用ハウス１は、例えば幅Ｗを２０ｍ、奥行きＬを５０ｍ程度の大きさに構成している。植物・種苗育成用ハウス１の内部には、図２に示すように、例えば８台の植物・種苗育成用テーブル２を列設し前記ボイラ３から温水供給を行うようになっている。植物・種苗育成用テーブル２の詳細については後述する。
【００１５】
次に、前記温度調整パネル５について図４を参照して説明する。
温度調整パネル５は、図４に示すように、直方体状の筺体７０の正面に、ボイラ３の配管内の暖房水温度を表示する暖房水温度表示部７１、室内温度を表示する室内温度表示部７２を設けている。更に、筺体７０の正面に、暖房スイッチ（暖房オンスイッチ）７３、ボイラ３の配管内の暖房水温度を手動調整する暖房温度調整ダイヤル７４、ボイラ３の連続稼働時間を３分、１０分、１時間、自動連続等のように設定するタイマダイヤル７５、温度調整／タイマ選択スイッチ７６、メインスイッチ（電源スイッチ）７７を設けた構成となっている。
【００１６】
また、前記暖房水温度表示部７１及び室内温度表示部７２の近傍には、ボイラ３の燃焼状態を点灯表示する燃焼ランプ８１、温水を圧送するポンプ（図示せず）の稼働状態を点灯表示するポンプランプ８２、点火不良、運転中失火等の異常表示用の警報ランプ８３を設けている。
【００１７】
次に、図３、図５乃至図７、図８乃至図１２を参照して、植物・種苗育成用テーブル２について詳述する。
【００１８】
図５乃至図７は、一台の植物・種苗育成用テーブル２を示すものであり、植物・種苗育成用テーブル２を構成するテーブル本体１１は、例えば、長さ２０ｍ程度、幅１．８ｍ程度の寸法に形成され、テーブル本体１１の平坦な上面部１１ａはメッシュ構造としている。図５、図７中の符号１２はテーブル本体１１の脚である。
【００１９】
前記植物・種苗育成用テーブル２は、図３、図８に示すように、前記テーブル本体１１と、このテーブル本体１１上に全面にわたって敷設する例えばアルミニウム薄板からなる保温のための断熱シート２１と、この断熱シート２１上に分割構成で連結設置する空気層を形成する所要数の保温ブロック３０と、保温ブロック３０に設けた直線状又は曲線状の溝３１上にテーブル本体１１の上面全体を巡る循環パイプ配管路を形成するための直線状又は曲線状の凹部２３を有する例えば亜鉛鋼板からなり伝熱効果を高める所要数の熱伝導板２２と、各熱伝導板２２の各凹部２３にテーブル本体１１の上面全体を巡るように配置した前記ボイラ３に連結可能なスチール製の循環パイプ２４とにより温水循環手段を構成している。
循環パイプ２４の両端は、前記ボイラ３の温水吐出、温水吸引用のヘッダ部１３、１４に接続している。なお、図３中の符号１５は空気弁である。
【００２０】
更に、前記温水循環手段上に、遠赤外線放射手段であり、優れた伝熱性能を有し、生物の新陳代謝機能、細胞活性化機能を有する分割構成の所要数のセラミック材料にて形成した麦飯石２５を配置している。そして、前記植物・種苗育成用テーブル２を構成する麦飯石２５上に、図３に示すように、例えば各種の種をまいた発芽トレイ６０、各種の苗を植えた育苗ポット６１を載置するように構成している。
本考案においては、上記各種の種をまいた発芽トレイ６０の他、例えば、花類、（鑑賞用・園芸用）野菜類、観葉植物類、果実類或いは穀物類等、及びこれらの種や苗をトレイ６０に収置しても良いことは勿論である。
【００２１】
図９は、前記保温ブロック３０の一構成例を示すものであり、この保温ブロック３０は、合成樹脂材からなり、側面外周が一つの円弧状曲面及び二つの直壁面を呈し、且つ、二つの直壁面が９０度に交わる扇形状突起部４１と、側面外周が一つの弧状曲面、二つの直壁面を呈し、且つ、４個構成で十字路を形成する如く分離配置した三角柱状突起部４２と、二つの側面外周がともに弧状曲面を呈するように形成した舟形状突起部４３との組み合わせ構造からなり、上面側に直線状を呈する溝３１（図９で点線で表し、符号３１ａ、３１ｂ、３１ｃを付して示す）や、曲線状（弧状又は半円状等）を呈する溝３１（例えば図９で２点鎖線で表し、符号３１ｄを付して示す）を形成している。
すなわち、保温ブロック３０は、曲線状の循環パイプ配管路、直線状の循環パイプ配管路のいずれをも形成可能に構成している。
【００２２】
図１０は、前記保温ブロック３０の扇形状突起部４１を構成する部分の拡大断面（図９のＸ−Ｘ断面）を示すものであり、前記断熱シート２１と接する側（下面）及び熱伝導板２２と接する側（上面）に各々空気層を形成するための空間部４１ａ、４１ｂを有する形状となっている。
【００２３】
前記保温ブロック３０を互いに隣り合わせに連結する場合には、図９、図１１に示す連結具５０を用いる。すなわち、保温ブロック３０の隅部に設けた弧状の連結受け穴５６及び位置決め穴５７に、連結具５０に設けた弧状突部５１、位置決め突部５２を嵌め込むことで、隣り合う保温ブロック３０同士を連結するようになっている。
【００２４】
図１２は、熱伝導板２２の構成例を示すものであり、前記保温ブロック３０の曲線状を呈する溝３１に対応する曲線状の凹部２３を形成した隅部用の熱伝導板２２Ａ、前記保温ブロック３０の直線状を呈する溝３１に対応する直線状の凹部２３を形成した直線用の熱伝導板２２Ｂの組み合わせにより構成している。
【００２５】
以下、前記植物・種苗育成用テーブル２の製造の仕方の実際について主として図８を参照して説明する。
植物・種苗育成用テーブル２を製造するに際しては、まず、テーブル本体１１の平坦な上面に全面にわたって断熱シート２１を敷設する。次に、断熱シート２１上に分割構成で空気層を形成する所要数の保温ブロック３０を全面にわたって連結設置する。隣り合う保温ブロック３０同士の連結には、上述したように前記連結具５０を用いる。
【００２６】
次に、各保温ブロック３０に設けた溝３１上に、循環パイプ設置用の凹部２３を有する分割構成の熱伝導板２２を配置し、テーブル本体１１の上面全面にわたって循環パイプ配管路を形成する。
この場合、テーブル本体１１の端部領域では前記隅部用の熱伝導板２２Ａを用いて、循環パイプ２４が図３に示すように弧状又は半円状に敷設できるように弧状又は半円状の循環パイプ配管路を形成する。また、テーブル本体１１の端部領域以外では、熱伝導板２２Ｂを用いて、循環パイプ２４が直線状に敷設できるように直線状の循環パイプ配管路を形成する。
【００２７】
次に、前記循環パイプ配管路に前記循環パイプ２４を埋め込むようにして、且つ、テーブル本体１１の上面全面を巡るように配置し、この循環パイプ２４の両端を前記ボイラ３のヘッダ部１３、１４に接続する。
次に、前記熱伝導板２２及び循環パイプ２４上に、分割構成の所要数の赤外線を放射する麦飯石２５を全面にわたって配置する。このような一連の工程によって、図３に示すような構造を有する植物・種苗育成用テーブル２を製造することができる。
【００２８】
以下、本実施例の植物・種苗育成用暖房システムによる前記発芽トレイ６０内の種、育苗ポット６１の苗の育成の実際について説明する。
【００２９】
本実施例においては、温度調整パネル５を操作し、前記ボイラ３を稼働状態として植物・種苗育成用テーブル２上に巡らした循環パイプ２４に温水を供給し暖房するとともに、温度センサ４により植物・種苗育成用テーブル２の上面近傍の温度を検出する。温度調整パネル５は、温度センサ４の検出温度を基にボイラ３から循環パイプ２４に送り出す温水の温度を植物・種苗の育成に適した温度となるように自動制御したり、ボイラ３のオン、オフ制御を行う。
【００３０】
このようにして植物・種苗育成用ハウス１内の植物・種苗育成用テーブル２を温水暖房し、循環パイプ２４、更には前記熱伝導板２２からの温熱、前記麦飯石２５が放射する遠赤外線を植物・種苗に作用させて、前記植物・種苗育成のための適切な温度管理を行い、また麦飯石２５からの遠赤外線による細胞の活発化、新陳代謝の促進を行って、効率よく各種植物や種苗の発芽、育成を行うものである。
【００３１】
本実施例において、植物・種苗育成用テーブル２を温水暖房に循環パイプ２４を用いているとともに熱伝導板２２を用いているので、植物・種苗育成用テーブル２上の各種植物や種苗の発芽むら、育苗むらを無くし、均質な発芽、育苗を行うことができる植物・種苗育成用暖房システムを提供できる。
【００３２】
また、前記植物・種苗育成用テーブル２の保温ブロック３０の前記断熱シート２１と接する側（下面）及び熱伝導板２２と接する側（上面）に各々空気層を形成するための空間部４１ａ、４１ｂを設けたことにより、植物・種苗育成用テーブル２自体の保温効果を高め、燃費節約を図ることができる。
【００３３】
また、上記構成の植物・種苗育成用テーブル２は、上述した作用効果を発揮する植物・種苗育成用暖房システムの主要な構成要素として活用することが可能であり、また、植物・種苗育成用テーブル２の設置台数の多少の調整も容易で、植物・種苗育成用暖房システムの構築規模に応じた最適の選定を容易に行うことができる。
上述した本考案に係る育成用暖房システム、育成用テーブルの対象である植物・種苗としては、既述したように、各種の種をまいた発芽トレイ６０の他、例えば、花類、（鑑賞用・園芸用）野菜類、観葉植物類、果実類或いは穀物類等、及びこれらの種や苗を挙げることができる。
【産業上の利用可能性】
【００３４】
上述した本実施例においては、植物・種苗育成用ハウス内に植物・種苗育成用テーブルを配置して植物・種苗育成用暖房システムを構成した場合を説明したが、植物・種苗育成用ハウスを使用せずに、主として植物・種苗育成用テーブル、ボイラ等を用いて植物・種苗育成用暖房システムを構成することも可能である。
【図面の簡単な説明】
【００３５】
【図１】本考案の実施例の植物・種苗育成用暖房システムのボイラ、植物・種苗育成用ハウスを示す斜視図である。
【図２】本実施例における植物・種苗育成用ハウス内の植物・種苗育成用テーブルの配置図である。
【図３】本実施例の植物・種苗育成用暖房システムの概略斜視図である。
【図４】本実施例の温度調整パネルの正面図である。
【図５】本実施例の植物・種苗育成用テーブルの正面図である。
【図６】本実施例の植物・種苗育成用テーブルの正面図である。
【図７】本実施例の植物・種苗育成用テーブルの正面図である。
【図８】本実施例の植物・種苗育成用テーブルの製造工程図である。
【図９】本実施例の保温ブロックの拡大斜視図である。
【図１０】図９のＸ−Ｘ断面図である。
【図１１】本実施例の連結具の拡大斜視図である。
【図１２】本実施例の熱伝熱板の斜視図である。
【符号の説明】
【００３６】
１    植物・種苗育成用ハウス
２    植物・種苗育成用テーブル
３    ボイラ
４    温度センサ
５    温度調整パネル
６    信号ケーブル
７    ケーブル
８    給水管
９    圧力調整タンク
１１    テーブル本体
１１ａ  上面部
１３    ヘッダ部
１４    ヘッダ部
２１    断熱シート
２２    熱伝導板
２４    循環パイプ
２５    麦飯石
３０    保温ブロック
３１    溝
４１    扇形状突起部
４１ａ、４１ｂ  空間部
４２    三角柱状突起部
４３    舟形状突起部
５０    連結具
５１    弧状突部
５２    位置決め突部
５６    弧状受穴
５７    位置決め穴
６０    発芽トレイ
６１    育苗ポット
７０    筺体
７１    暖房水温度表示部
７２    室内温度表示部
７３    暖房スイッチ
７４    暖房温度調整ダイヤル
７５    タイマダイヤル
７６    温度調整／タイマ選択スイッチ
７７    メインスイッチ
８１    燃焼ランプ
８２    ポンプランプ
８３    警報ランプ
【図１】
0003102976.tif 000003
【図２】
0003102976.tif 000004
【図３】
0003102976.tif 000005
【図４】
0003102976.tif 000006
【図５】
0003102976.tif 000007
【図６】
0003102976.tif 000008
【図７】
0003102976.tif 000009
【図８】
0003102976.tif 000010
【図９】
0003102976.tif 000011
【図１０】
0003102976.tif 000012
【図１１】
0003102976.tif 000013
【図１２】
0003102976.tif 000014